(57)【要約】【課題】発泡樹脂製の表示パネルを固定するために用いられるパネルフックを、簡単にパネルに固定できると共に、低コストで設置後のパネルの落下事故を防ぐことができるパネルフックを提供する。【解決手段】  表示パネルの裏面と接着される取付板３と、固定された部位に係止する係止部２とからなり、前記取付板３は、両面粘着テープ５と、表示パネル裏面に食い込む斜め上向きに突出する１又は２以上の食い込み片４を設けており、前記係止部２は、取付板３と、上面板２ａと下方に延設された垂直板２ｂにより断面コ字状に形成された溝からなるパネルフック１。【選択図】図１
2016075725.tif 000002
【特許請求の範囲】
【請求項１】
少なくとも裏面側が発泡樹脂製の表示パネルを主面を垂直にした状態で固定するために用いられ、表示パネルの裏面と接着される取付板と、固定された部位に係止する係止部とからなるパネルフックであって、
前記取付板は、表示パネルの裏面と面接触する前側に、両面粘着テープと、表示パネル裏面に食い込む斜め上向きに突出する１又は２以上の食い込み片を設けており、
前記係止部は、前記取付板から後側に突出する略水平な上面板と上面板の後端付近から下方に延設された略垂直な垂直板とからなり、取付板、上面板及び垂直板にて断面コ字状に形成された溝を固定された部位に引っ掛けて係止できるようにしたことを特徴とするパネルフック。
【請求項２】
前記請求項１に記載のパネルフックにおいて、
係止部を構成する垂直板は、上面板から下方に向けて取付板との間隔が狭くなってゆき、下端付近にて取付板から外方に屈曲して取付板からの間隔を広げた屈曲部を形成したことを特徴とするパネルフック。
【発明の詳細な説明】
【技術分野】
【０００１】
この発明は、本屋、ＣＤショップ、レンタル店、家電量販店、ホームセンター、ドラッグストアー、食品スーパー等の各種小売業の店舗内で、取り扱う販売用やレンタル用の商品等の各種類別に集約した部分（例えば「新作コーナー」、「特価」等）を購買者に知らせるために、商品やレンタル品を集約した場所に掲げられる板状の表示パネルについて、それら表示パネルを陳列棚等の什器に係止するためのパネルフックに関するものである。
【背景技術】
【０００２】
本屋、ＣＤショップ、レンタル店などで、書籍やパッケージ入りＣＤやＤＶＤ、ブルーレイディスク、ビデオテープ等の商品、或いはその他各種販売店にて取り扱われる商品等は、通常種類別に集約して陳列されており、購買者や需用者にアピールするように、例えば、新作を集めた部分には「新作コーナー」を表示する表示パネルを掲げて、商品等の場所を表示しており、またこれらのパネルは、顧客に向って何らかの告知、宣伝をするため、人目につくようデザインされた文字やイラスト等を表示している。
【０００３】
これらの表示パネルの固定方法は種々の方法が考えられ、例えば、表示パネルを両面粘着テープを使って什器にそのまま貼り付ける方法や、パネルの裏面側に什器等に係止できるようの係止具（以下、パネルフックという）を接続固定して、このパネルフックを商品やレンタル品が陳列された陳列棚の上部に引っ掛けて固定して、表示パネルを固定する方法がある（例えば、特許文献１参照）。
【０００４】
このうち、表示パネルの裏面と店舗内の壁や什器とを直接両面粘着テープ等で固定する方法は、表示パネルの固定作業は楽であるが、位置調整のための貼り直しの際に粘着テープを剥がして再度貼り直さなければならず、現場で位置決めを念入りに行う必要があり、また、表示パネルを取り外した際に、店舗側の壁や什器に粘着テープの糊や基材が残り、見苦しくなるという問題があった。
【０００５】
一方、特許文献１などの、表示パネル裏面に取付具を固定してから、取付具を什器の桟などに引っ掛けて固定する方法は、取付部位が限定される問題はあるが、取付作業が取付具を桟に引っ掛けるだけという極めて容易な方法で行うことができ、また、取り外しの際も、表示パネルを上に持ち上げて取付具の引っ掛かりを解除するだけで簡単に作業でき、糊等が什器に残らないという利点もある。
【０００６】
この特許文献１の方法では、表示体１０（表示パネル）と取付面１１（壁）とを取付具１２を介して固定しており、表示体１０への取付具１２の固定は、表示体１０の背面１８に取付具１２の固定板部２６を用いて、この固定板部２６を表示体１０に固定している（特許文献１明細書段落２９，３０参照）。
【０００７】
これら特許文献１のように、取付具の表示体（表示パネル）への固定は、接着、ネジ、ボルト等により固定するものであるが、取付具のネジ止め等は固定作業に手間と人件費がかかるという問題があるため、なるべく簡単に短時間で設置する要望があり、取付具に平面部を設け、取付具の平面部を接着テープや両面粘着テープで表示パネル裏面に貼り付ける方法が主に採用されている。
【先行技術文献】
【特許文献】
【０００８】
【特許文献１】実用新案登録第３１６４８０５号公報（明細書段落２９，３０、図面図３参照）
【発明の概要】
【発明が解決しようとする課題】
【０００９】
ところで、特許文献１において、係止具との接続に粘着テープを用いた場合、夏などの気温の上昇で両面粘着テープの粘着力が低下して剥がれてしまい、表示パネルと係止具とが外れて、パネルが下に落ちてしまうことがあり、表示パネルの落下は、店舗内の購買客に落下中の表示パネルが当たって購買客にケガを生じたり、また、人的被害が無くても、表示パネルが落下する事故が生じたり、落ちたままの表示パネルが存在することは店舗のイメージダウンに繋がる。
【００１０】
特許文献１のような取付具を粘着テープで固定して用いる方法において、前述の落下事故を恐れるあまり、表示パネルと取付具との接合に接着力を強力にした高価な両面粘着テープを使わざるを得ない状況であり、取り替えを頻繁に行うような表示パネルの固定方法としては、粘着テープのコストがかかるという問題があった。
【００１１】
そこで、この発明は、上記のような課題を解決し、パネルフックを簡単な取付作業にて表示パネルに固定できると共に、低コストで設置後の表示パネルの落下事故を防ぐことができるパネルフックを提供することを課題とする。
【課題を解決するための手段】
【００１２】
上記のような課題を解決するために請求項１の発明は、少なくとも裏面側が発泡樹脂製の表示パネルを主面を垂直にした状態で固定するために用いられ、表示パネルの裏面と接着される取付板と、固定された部位に係止する係止部とからなるパネルフックであって、  前記取付板は、表示パネルの裏面と面接触する前側に、両面粘着テープと、表示パネル裏面に食い込む斜め上向きに突出する１又は２以上の食い込み片を設けており、
前記係止部は、前記取付板から後側に突出する略水平な上面板と上面板の後端付近から下方に延設された略垂直な垂直板とからなり、取付板、上面板及び垂直板にて断面コ字状に形成された溝を固定された部位に引っ掛けて係止できるようにした構成を採用する。
【００１３】
この発明が用いられる表示パネルは、軽量化や取り扱い性およびコストの点から、一般的に幅広く用いられている発泡スチロール、スチレンボードと呼ばれる発泡樹脂製の基材からなるものであり、少なくとも裏面側には発泡樹脂製の基材が露出しているものが対象である。
【００１４】
また、この発明のパネルフックの断面コ字状に形成された溝を引っ掛けて係止する固定された部位とは、溝が嵌まり込む程度の幅を持った、例えば、商品陳列棚の上部付近の横桟や、壁に別途設置された枠体の横桟、或いは什器等に固定された厚みを持った板状部等が挙げられるが、特に限定されるものではなく、表示パネルを設置するに適する店舗内で固定された部位であればよい。
【００１５】
この発明のパネルフックの取付板に１個所又は複数個所設けられた食い込み片は、表示パネル裏面に斜め上向きに食い込むことで、表示パネルに重量による下向きに力が加わっても、表示パネルは食い込み片がより深く食い込むことになり接続は強固となる。
【００１６】
また、両面粘着テープによる粘着面は、粘着面に垂直な力が加わっても剥がれにくいが、粘着面に平行な力が加わった場合には、ある限度を境に急に粘着面が剥がれることがある。しかし、前記食い込み片の存在により、表示パネルは下方（粘着面に水平な方向）への移動を防いで粘着面により粘着を補完している。
【００１７】
次に、請求項２の発明は、前記請求項１に記載のパネルフックにおいて、係止部を構成する垂直板は、上面板から下方に向けて取付板との間隔が狭くなってゆき、下端付近にて取付板から外方に屈曲して取付板からの間隔を広げた屈曲部を形成した構成を採用する。
【００１８】
係止部が完全なコ字状である場合、桟に係止しても溝の間隔と桟の幅が合わずにガタが生じたり、また桟に嵌め込む際に嵌め込みにくいということがあるが、請求項２の構成によれば、上面板から下方に向けて取付板との間隔が狭くなってゆくので、一旦係止した棚を狭くなった部分で鋏み込んでガタが生じなくなったり係止部から外れたりしないようにしており、一方、垂直板の下端に取付板からの間隔を広げた屈曲部を形成することで、係止部を桟に係止する際に、溝の下端が広がった部分となっており通しやすくなる。
【発明の効果】
【００１９】
以上のように、請求項１の発明によれば、表示パネルの裏面に接着固定したパネルフックが外れにくくなり、表示パネルとパネルフックが外れて表示パネルが落下するといった事故を防ぐことができる。
【００２０】
また、構造的に外れにくくなっているので、落下事故を恐れるあまりに、両面粘着テープを必要以上に多く用いたり、接着力が強力な高価な両面粘着テープを用いる必要がなくなり、低コストでの表示パネルの固定が可能となる。
【００２１】
上記請求項２の発明によれば、表示パネルの固定物への係止の際、係止が容易にできると共に、係止後はパネルフックにガタが生じない利点がある。
【図面の簡単な説明】
【００２２】
【図１】（Ａ）（Ｂ）は、この発明の表示パネルの係止具の斜視図である。
【図２】この発明のパネルフックの背面図である。
【図３】この発明のパネルフックの側面図である。
【図４】この発明のパネルフックの底面図である。
【図５】（ａ）（ｂ）（ｃ）は、この発明のパネルフックの食い込み片の他の例の部分拡大底面図である。
【図６】各種表示パネルを示す正面図である。
【図７】パネルフックを取り付けた状態の表示パネルの裏面側の斜視図である。
【図８】パネルフックを取り付けた状態の表示パネルの部分拡大断面図である。
【発明を実施するための形態】
【００２３】
以下、この発明の陳列装置を添付図面を参考にして説明する。
図１（Ａ）（Ｂ）は、この発明のパネルフックの標準的な態様を示す斜視図であり、図２は同背面図、図３は同側面図、図４は同下面図である。
【００２４】
パネルフック１は、大きく分けて、係止部２と取付板３の２つの部材とからなり、係止部２は、３つの平板で囲まれた下向きに開放の断面コ字状となった部分で、この断面コ字状となった部分の下向きの溝部を店舗内の商品陳列棚の横桟や固定枠の横桟等に係合して引っ掛けて固定するものである。
【００２５】
前記係止部２は、取付板３の上端の辺から連続して略９０度後方に折り曲げられた状態で水平方向に延設された上面板２ａと、更に上面板２ａの後端部から下方に略９０度折り曲げられた状態の略垂直方向に延設された垂直板２ｂと、更に垂直板２ｂの下端部付近で微小角度外方に折り曲げられた折曲部２ｃとからなる。
【００２６】
図３の側面図に示すように、係止部２は、上面板２ａ、垂直板２ｂ及び取付板３の３つの平板により囲まれた下向き開放の断面コ字状の溝であり、また、この係止部２は、垂直板２ｂと取付板３との間隔が上部より下部に行くに従い間隔が狭くなっており、一旦鋏み込んで係止した棚や桟から係止部２が外れたりしないようにしており、一方、係止部２を固定物の商品陳列棚の横桟や固定枠の横桟等に係止する際に桟が係止部２に通しやすいように、下側の入り口に相当する部分を広くするように、折り曲げ部２ｃを形成している。
【００２７】
また取付板３は上記係止部２のコ字状部の片側平面に連続した垂直な平面状の部分で、この取付板３の係止部２がある方の反対側（表側）に表示パネルの裏面を当接させて後述の両面粘着テープ５により表示パネルを取り付けるようになっている。
【００２８】
取付板３の下端の辺には、表側に突出した食い込み片４が、５個等間隔に並んで設けられており、この各食い込み片４は、三角形状で、取付板３をその下端部で、下端部から一定の幅寸法分を表側（表示パネルと当接する側）に直角より鋭角に折り曲げて取付板３の平面より突出した構造となっており、三角形の先端部が表示パネルの裏面に取り付けた時に、表示パネル裏面の発泡樹脂の中に食い込むようになっている。
【００２９】
取付板３の表側の上端付近には、両面粘着テープ５が、その片側の粘着面を利用して取付板３に予め接着されている。なお、他方外表面の粘着面は使用時まで露出しないように剥離紙（図示せず）が貼着されており、表示パネルにパネルフック１を取り付ける際に、両面粘着テープ５の前記剥離テープを剥がして粘着面を露出させ、表示パネルの裏面に押し付けて接着するようになっている。
【００３０】
パネルフック１は上記のような構成であり、その寸法等は特に限定されないが、一例として、取付板３の寸法が幅と高さ寸法が約８０ｍｍ×６０ｍｍ、上面板２ａが８０ｍｍ×１８ｍｍ、垂直板２ｂ全体が８０ｍｍ×３０ｍｍで取付角度が上面板２ａに対して８０度、そのうち屈曲部２ｃが８０ｍｍ×２ｍｍで１３５度折れ曲がっており、食い込み片４の突出寸法５ｍｍで取付角度は垂直面から７５度の角度で上向き、両面粘着テープ５が幅と高さ寸法が７０ｍｍ×１５ｍｍとしており、これらの寸法、角度は用いられる表示パネルに対して汎用性のある大きさであり、かつ係止部２は、係止すべき固定部の桟等の寸法に合わせて選択するのが好ましい。
【００３１】
また、パネルフック１を構成するこれら係止部２、取付板３、食い込み片４の構成材料についても特に限定されないが、通常の使用に耐える剛性や靱性を有する合成樹脂でパネルフック１を一体作成するのが一般的である。
【００３２】
更に、表示パネルの裏側にて使用されるものであり、通常は人目につかず、その色彩についても特に限定されず、その素材そのままの状態でもよい。
【００３３】
なお、上記係止部２や食い込み片４の形状は図示のようなものであり、材料によっては平板を折り曲げて形成できるが、例えば合成樹脂製で一体成形できるものであれば、図３の側面図に示す形状のような開口部からの押し出し成型で成型後、突出する帯状の部分を削って食い込み片４を形成する等によっても作成が可能である。
【００３４】
図５の（ａ）（ｂ）（ｃ）は、この発明のパネルフック１の食い込み片４の形状の他の例を示すものであり、（ａ）の場合の食い込み片４ａは半円状の突起物としており、食い込み片４ａは前述の食い込み片４に比較して突起先端部に不用意に手が触れても怪我をしないようになっている。
【００３５】
また、（ｂ）の場合、各食い込み片４ｂは前述の食い込み片４に比較して間隔を狭めて並んで設けられており数も多くなるが、表示パネル裏面へは多数個所で食い込むので、食い込みによる保持力はより向上する。
【００３６】
更に、（ｃ）の場合、櫛歯状の細かい食い込み片４ｃを複数並べた状態としており、この場合、弾力性があって食い込みにくい材質の表示パネル裏面であっても、多数の微細な食い込み片４ｃが各部で小規模に食い込んで表示パネルを保持することができる。
【００３７】
なお、図４で示した食い込み片４や、図５（ａ）（ｂ）（ｃ）に示した食い込み片４ａ、４ｂ、４ｃはあくまで例示であり、その構造や形状は、この発明の目的の範囲内で適宜変更して実施することができるし、必要十分な保持力が得られるのであれば、食い込み片の数も１つであってもよい。
【００３８】
図６はこの発明のパネルフック１を利用して固定される表示パネル６の例を３つ示すものであり、この表示パネル６の表側には、店舗内の購買者や需用者にアピールするように、種類毎の集約された商品の情報や場所を知らせるような文字情報を主体にして目に付くイラスト等を添付したものが主流である。
【００３９】
これらの表示パネル６は、店舗内で頻繁に掛け替えられたりするため、取り扱いが容易で軽量かつ低コストなものが好ましく、一般的に発泡スチロール、スチレンボードと呼ばれる発泡樹脂が用いられている。
【００４０】
図７に示すように、表示パネル６の裏面側の左右上部に、本発明のパネルフック１を固定する。その固定方法は、まず、両面粘着テープ５の表面の剥離テープを剥がしてから表示パネル６の裏面にパネルフック１の取付板３を、両面粘着テープ５を挟んで押し付けることで簡単に固定することができる。
【００４１】
この固定の際、表示パネル６にパネルフック１の取付板３を押し付けるので、取付板３下端にある食い込み片４が表示パネル６の材料である発泡樹脂に食い込み、この食い込み片４が発泡樹脂に食い込んだ状態で両面粘着テープ５により両者が固定されるので、パネルフック１と表示パネル６が強固に接続されることになる。
【００４２】
表示パネル６にパネルフック１を取り付けた後、パネルフック１の下向き溝状の係止部２を店舗内の棚や什器等の桟に上から引っ掛けることで、表示パネル６が固定される。
【００４３】
図８は、パネルフック１を取り付け後の表示パネル６を桟７（点線で表示）に係止した状態の部分拡大断面図であり、パネルフック１の食い込み片４は、パネルフック１の取付板３端部から鋭角状に突出して表示パネル６に上向きに食い込むため、表示パネル６の重量により下向きの力が働いても、より深く食い込み片４が食い込むだけで、食い込み片４が表示パネル６から外れる方向に移動することが無く、従って、パネルフック１の取付板３上部の両面粘着テープ５と表示パネル６の接着部にて表示パネル６にその接着面に平行な下向きの力が加わらず、粘着面が外れたりする事故を防ぐことができる。
【００４４】
以上、この発明の実施形態を例示によって説明したが、この発明は図示で説明した構造に限られず、例えば、食い込み片４は取付板３の下端の辺に沿って設けられており、両面粘着テープ５は取付板３の上端部付近に設けられたが、これらの設置位置は特に限定されるものではなく、取付板３のいずれの部位に設けてもよく、この発明の目的の範囲内で適宜変更して実施できる。
【符号の説明】
【００４５】
１        パネルフック
２        係止部
２ａ      上面板
２ｂ      垂直板
２ｃ      屈曲部
３        取付板
４、４ａ、４ｂ、４ｃ  食い込み片
５        両面粘着テープ
６        表示パネル
７        桟
【図１】
2016075725.tif 000003
【図２】
2016075725.tif 000004
【図３】
2016075725.tif 000005
【図４】
2016075725.tif 000006
【図５】
2016075725.tif 000007
【図６】
2016075725.tif 000008
【図７】
2016075725.tif 000009
【図８】
2016075725.tif 000010